(57)【特許請求の範囲】
【請求項１】
第１立上面体と、この第１立上面体と折返部を介して連続形成されて前記第１立上面体と対向して形成された第２立上面体と、この第２立上面体の上部に形成された折返カバー部と、この折返カバー部の先端に形成された陰茎部係止切欠と、前記第１立上面体と前記第２立上面体の一側に形成された第１側面体と、前記第１立上面体と前記第２立上面体の他側に形成された第２側面体と、前記第１立上面体と前記第２立上面体と前記第１側面体と前記第２側面体に囲まれて形成された陰茎部収容ポケットと、前記第１立上面体と前記第２立上面体の少なくとも一方の外側面に形成された粘着部と、前記第１立上面体に貫通形成された陰茎部挿入部と、を有してなることを特徴とする男性用尿取りパッド。
【請求項２】
第１立上面体と、この第１立上面体と折返部を介して連続形成されて前記第１立上面体と対向して形成された第２立上面体と、この第２立上面体の上部に形成された折返カバー部と、この折返カバー部の先端に形成された陰茎部係止切欠と、前記第１立上面体と前記第２立上面体の一側に形成された第１側面体と、この第１側面体の上部に連続形成された第１側面体フラップと、前記第１立上面体と前記第２立上面体の他側に形成された第２側面体と、この第２側面体の上部に連続形成された第２側面体フラップと、前記第１立上面体と前記第２立上面体と前記第１側面体と前記第２側面体に囲まれて形成された陰茎部収容ポケットと、前記第１立上面体と前記第２立上面体の少なくとも一方の外側面に形成された粘着部と、前記第１立上面体に貫通形成された陰茎部挿入部と、を有してなることを特徴とする男性用尿取りパッド。
【請求項３】
前記陰茎部挿入部を複数の放射線状スリットで形成したことを特徴とする請求項１、請求項２のいずれか１項に記載した男性用尿取りパッド。
【発明の詳細な説明】
【技術分野】
【０００１】
本発明は、男性が使用する男性用尿取りパッドに関し、詳しくは下着に容易に取り付けることができると共に尿失禁した場合に尿が漏れ難い男性用尿取りパッドに関する。
【背景技術】
【０００２】
前立腺や膀胱等の病気の影響や高齢等が原因で些細な拍子や無意識に尿失禁してしまう場合がある。
このような場合に下着やズボン等が濡れて汚れてしまうのを防止するために男性用尿取りパッドが提案されている（特許文献１）。
しかし、このタイプの男性用尿取りパッドを使用する場合は矩形状のパッドを折り曲げ、組み立てて男性器の陰茎部収容部を形成する必要がある。
このため、前記男性用尿取りパッドを使用する場合は手間がかかると共に男性器の陰茎部が男性用尿取りパッドからズレたり抜け出したり、男性器と男性用尿取りパッドの不安定な関係が尿失禁した場合に下着やズボン等を濡らして汚してしまうという不安がある。
また、前記男性用尿取りパッドの構造では安定して下着に取り付けることができないという不具合がある。
【先行技術文献】
【特許文献】
【０００３】
【特許文献１】特開２００４−５７５７８号公報
【発明の概要】
【発明が解決しようとする課題】
【０００４】
本発明は、上記事実に鑑みなされたものであり、使用に際し組み立てる必要がなく簡単に下着に安定して取り付けることができると共に尿失禁しても尿が漏れ難い男性用尿取りパッドを提供するものである。
【課題を解決するための手段】
【０００５】
請求項１の発明は、第１立上面体と、この第１立上面体と折返部を介して連続形成されて前記第１立上面体と対向して形成された第２立上面体と、この第２立上面体の上部に形成された折返カバー部と、この折返カバー部の先端に形成された陰茎部係止切欠と、前記第１立上面体と前記第２立上面体の一側に形成された第１側面体と、前記第１立上面体と前記第２立上面体の他側に形成された第２側面体と、前記第１立上面体と前記第２立上面体と前記第１側面体と前記第２側面体に囲まれて形成された陰茎部収容ポケットと、前記第１立上面体と前記第２立上面体の少なくとも一方の外側面に形成された粘着部と、前記第１立上面体に貫通形成された陰茎部挿入部と、を有してなることを特徴としている。
請求項２の発明は、第１立上面体と、この第１立上面体と折返部を介して連続形成されて前記第１立上面体と対向して形成された第２立上面体と、この第２立上面体の上部に形成された折返カバー部と、この折返カバー部の先端に形成された陰茎部係止切欠と、前記第１立上面体と前記第２立上面体の一側に形成された第１側面体と、この第１側面体の上部に連続形成された第１側面体フラップと、前記第１立上面体と前記第２立上面体の他側に形成された第２側面体と、この第２側面体の上部に連続形成された第２側面体フラップと、前記第１立上面体と前記第２立上面体と前記第１側面体と前記第２側面体に囲まれて形成された陰茎部収容ポケットと、前記第１立上面体と前記第２立上面体の少なくとも一方の外側面に形成された粘着部と、前記第１立上面体に貫通形成された陰茎部挿入部と、を有してなることを特徴としている。
請求項３の発明は、前記陰茎部挿入部を複数の放射線状スリットで形成したことを特徴としている。
【発明の効果】
【０００６】
本発明の男性用尿取りパッドは、使用に際して組み立てる必要がなく簡単に下着に安定して取り付けることができるという優れた効果を有する。
本発明の男性用尿取りパッドは、折返カバー部を折り返して使用するので尿失禁した場合に尿の飛び散りや尿が漏れるのを可及的に防止できるという優れた効果を有する。
本発明の男性用尿取りパッドは、男性器の陰茎部を陰茎部挿入部に挿入して陰茎部収容ポケットに収容するので、簡単に陰茎部が陰茎部収容ポケットからズレたり抜けにくくすることができるという優れた効果を有する。
請求項２、請求項４の男性用尿取りパッドは、上記優れた効果の他に、第１側面体フラップ及び第２側面体フラップを形成したので、尿失禁した場合に尿漏れをより確実に防止することができるという優れた効果を有する。
請求項３、請求項４の男性用尿取りパッドは、上記優れた効果の他に、折返カバー部の先端に陰茎部係止切欠を形成したので、男性器の陰茎部をより確実に係止することができるという優れた効果を有する。
【図面の簡単な説明】
【０００７】
【図１】第１実施例の男性用尿取りパッドの正面図である。
【図２】第１実施例の男性用尿取りパッドの背面図である。
【図３】第１実施例の男性用尿取りパッドの縦断面図である。
【図４】第１実施例の男性用尿取りパッドの側面図である。
【図５】第１実施例の男性用尿取りパッドを下着に取り付ける状態図である。
【図６】第１実施例の男性用尿取りパッドの使用状態を示す概略縦断面図である。
【図７】第２実施例の男性用尿取りパッドの正面図である。
【発明を実施するための形態】
【０００８】
発明を実施するために最良の形態の例として以下のような実施例を示す。
【実施例１】
【０００９】
図１〜図６には本発明に係る男性用尿取りパッドの第１実施例が示されている。
図３に示されるように、本発明に係る男性用尿取りパッド１０は内側表面シート１２と、外側表面シート１４と、前記内側表面シート１２と前記外側表面シート１４の間に配設される吸液性コア１６によって一体形成されている。
前記内側表面シート１２は公知の薄い透液性素材で形成され、尿等の液体を通過させることができるようになっている。これに対し、前記外側表面シート１４は公知の薄い非透液性素材で形成され、尿等の液体を通過させないようになっている。また、前記吸液性コア１６は公知の吸液性素材で形成され、前記内側表面シート１２を通過して浸入してきた尿等の液体を吸収して長時間保液することができるようになっている。なお、前記吸液性コア１６は後述する折返部の部分が肉厚になるように配設されている。
前記男性用尿取りパッド１０の第１立上面体２０と第２立上面体２２は折返部２４を介して連続形成される。この第２立上面体２２は上部に行くに従い第１立上面体２０と離間方向に傾斜して形成されている。また、前記第２立上面体２２は第１立上面体２０よりも長く（図面上下方向に長く）形成されている。
前記第２立上面体２２の上部は折返カバー部２６とされている。この折返カバー部２６の先端部には陰茎部１（図６に想像線で示す）が入って係止される陰茎部係止切欠２８が形成されている。
図１及び図２に示されるように、前記第１立上面体２０と前記第２立上面体２２の一側には第１側面体３０が形成されている。この第１側面体３０の上部には連続して第１側面フラップ３１が形成されている。
また、前記第１立上面体２０と前記第２立上面体２２の他側には第２側面体３２が形成されている。この第２側面体３２の上部には連続して第２側面フラップ３３が形成されている。
なお、第１側面体３０、第１側面体フラップ３１、第２側面体３２、第２側面体フラップ３３の厚み方向中間部には上下方向に向かって折線３４（図４に第２側面体３２、第２側面フラップ体３３に形成された折線３４のみを示し、第１側面体３０、第１側面体フラップ３１に形成された折線３４は省略する）が形成されている。第１側面体３０、第１側面体フラップ３１、第２側面体３２、第２側面体フラップ３３に折線３４を形成することにより、第１側面体３０、第１側面体フラップ３１、第２側面体３２、第２側面体フラップ３３を折り曲げて男性用尿取りパッド１０の厚み寸法（図４矢印方向）を小さくできる。このため、男性用尿取りパッド１０を携帯する場合に男性用尿取りパッド１０をコンパクトにすることができる。
図３に示されるように、前記第１立上面体２０と前記第２立上面体２２と第１側面体３０と前記第２側面体３２に囲まれて陰茎部収容ポケット３５が形成されている。また、前記第２立上面体２２は上部に行くに従い第１立上面体２０と離間方向に傾斜して形成されているので陰茎部収容ポケット３５の容量が大きくなりると共にポケット開口部３５Ａが広くなっている。
図１に示されるように、前記第１立上面部２０の上部の外側表面シート１４の外側面には矩形状に粘着剤が塗布されて形成された第１立上面体対応粘着部３６Ａが形成されている。また、図２に示されるように、前記第２立上面体２２の中間部の外側表面シート１４の外側面にも矩形状に粘着剤が塗布されて形成された第２立上面体対応粘着部３６Ｂが形成されている。
図１に示されるように前記第１立上面体対応粘着部３６Ａには矩形状の第１立上面体対応剥離紙３８Ａが貼付され、図２に示されるように前記第２立上面体対応粘着部３６Ｂにも矩形状の第２立上面体対応剥離紙３８Ｂが貼付され、第１立上面体対応粘着部３６Ａ及び第２立上面体対応粘着部３６Ｂが不用意に粘着しないようになっている。
図１に示されるように、前記第１立上面体２０には男性器の陰茎部１（図６参照）を挿入する陰茎部挿入部４０が形成されている。この陰茎部挿入部４０は小孔４１と、この小孔４１に中心にして放射状に形成された８本のスリット４２から構成されている。これらスリット４２を８本貫通形成することにより、第１立上面体２０にはスリット片４２Ａが８片形成されている。
従って、図６に示されるように、陰茎部１を陰茎部挿入部４０に挿入するとスリット片４２Ａが陰茎部１の側部に当接するようになっている。
【００１０】
次に第１実施例の男性用尿取りパッド１０の作用を説明する。
前立腺や膀胱の病気の影響で些細な拍子で尿失禁してしまう男性が男性用尿取りパッド１０を使用する場合を例にして作用を説明する。
この男性用尿取りパッド１０をトランクス型の下着２に取り付ける場合は下着２を穿いてから一旦、下着２の前身頃３を下にずらす。次に、男性用尿取りパッド１０を持ち、男性器の陰茎部１を男性用尿取りパッド１０の陰茎部挿入部４０に挿入する。陰茎部１を陰茎部挿入部４０に挿入すると図６に示されるようにスリット片４２Ａが陰茎部１に従って陰茎部収容ポケット３５方向に折り曲がった後に陰茎部１の側面に当接するので陰茎部１が陰茎部収容ポケット３５から簡単に抜け出るのを防ぐと共に尿失禁した場合に尿の逆流を防ぐことができる。
そして、第１第１側面体フラップ３１と第２側面体フラップ３３を折り曲げてポケット開口部３５Ａを覆う。また、折返カバー部２６を折り曲げて折返カバー部２６を第１立上面体２０と第１第１側面体フラップ３１，第２側面体フラップ３３の間に差し込み、折返カバー部２６の先端部に形成されている陰茎部係止切欠２８に陰茎部１の陰茎亀頭１Ａの後方括れ部１Ｂに入れる。
そして、男性用尿取りパッド１０の位置決めを調節して、下にずらしていた前身頃３を上に持ち上げると共に第２立上面体２２の第２立上面体対応剥離紙３８Ｂを剥がし、第２立上面体対応粘着部３６Ｂを図５に示す下着２の前身頃３の内側面に貼付する。
これにより、下着２の前身頃３の最適な位置に男性用尿取りパッド１０を簡単かつ迅速に安定して取り付けることができる。
男性用尿取りパッド１０の第２立上面体２２は傾斜して形成されて奥行きがあるので、陰茎亀頭１Ａの先端面が第２立上面体２２に当たって尿道口が圧迫されるのを防げるため、尿失禁時に排尿し易い。また、第２立上面体２２を傾斜して形成したことにより、陰茎部収容ポケット３５が広くなるため手を入れ易く、これにより陰茎部収容ポケット３５に手を入れて陰茎部１を摘んで陰茎部挿入部４０から陰茎部収容ポケット３５にスムーズに導くことができる。
また、本発明の男性用尿取りパッド１０は第１第１側面体フラップ３１と第２側面体フラップ３３と折返カバー部２６がポケット開口部３５Ａを覆うため、失禁した場合に尿が陰茎部収容ポケット３５の内側表面シート１２に勢いよく当たってはねても男性用尿取りパッド１０から尿が飛び散ったり漏れたりすることをより確実に防止できる。
なお、尿失禁した尿は陰茎部収容ポケット３５にプールされてから速やかに内側表面シート１２を通して吸液性コア１６に吸収される。
この結果、本発明の男性用尿取りパッド１０を使用していれば失禁して下着やズボンを濡らしたり汚したりすることを防止できる。
しかも、上述したように第１第１側面体フラップ３１と第２側面体フラップ３３がポケット開口部３５Ａを覆い、その上から折返カバー部２６がポケット開口部３５Ａの上面を覆う状態になるので、男性用尿取りパッド１０の使用者が横になっている時に尿失禁して下着やズボンを濡らしたり汚したりすることを防止できる。
なお、本発明の男性用尿取りパッド１０を着用している時に小便をしたくなった場合は陰茎部係止切欠２８から陰茎部１を外して、陰茎部挿入部４０から陰茎部１抜く。そして、下着２の前身頃３の内側面に貼付されている第２立上面体対応粘着部３６Ｂを中心として男性用尿取りパッド１０を折り曲げ持ち上げて陰茎部１を下着２に形成されている陰茎部突出部４を介して突出させることにより小便をすることができるので、男性用尿取りパッド１０を使用していても不便を感じることはない。
【００１１】
図７には第２実施例の男性用尿取りパッド５０が示されている。なお、第１実施例の男性用尿取りパッド１０と同一の構成は同一の符号を用いて、その説明を省略する。
第２実施例の男性用尿取りパッド５０は、第１側面体３０の上部に第１側面体フラップ３１が形成されおらず、第２側面体３２の上部にも第２側面体フラップ３３は形成されていない。従って、第１実施例の男性用尿取りパッド１０に比べてコンパクトに製造することができる。
なお、他の構成及び作用、効果は第１実施例の男性用尿取りパッド１０と同一であるので、その説明は省略する。
【００１２】
なお、上記実施例では第１立上面体対応粘着部３６Ａを使用しなかったが、例えば本出願人が出願した特許願「男性器収容仕切ポケット内設型男性器ホールド下着」（特願２０１３−１３５７７２）のように下着本体の前身頃の内側に仕切布が設けられているタイプの下着においては本発明の男性用尿取りパッド１０を男性器収容仕切ポケット内設型男性器ホールド下着の男性器収容仕切ポケットに収容し、第１立上面体対応粘着部３６Ａを男性器収容仕切ポケット内設型男性器ホールド下着の仕切布に貼付し、第２立上面体対応粘着部３６Ｂを男性器収容仕切ポケット内設型男性器ホールド下着の前身頃に貼付することより男性用尿取りパッド１０を男性器収容仕切ポケット内設型男性器ホールド下着に確実かつ安定して取り付けることができる。
【００１３】
なお、本願発明の男性用尿取りパッド１０，５０にはポケット状の陰茎部収容ポケット３５が形成されているので、陰茎部収容ポケット３５に市販の尿取りパッドを収容しておいて尿取りパッドで尿の一部を吸液するようにしてもよい。
しかも、前記第２立上面体２２は上部に行くに従い第１立上面体２０と離間方向に傾斜して陰茎部収容ポケット３５のポケット開口部３５Ａは広くなっているので、市販の尿取りパッドを陰茎部収容ポケット３５に収容し易くなっている。
【００１４】
なお、実施例では陰茎部挿入部４０を小孔４１と、この小孔４１に放射状に形成された８本のスリット４２から形成したが、前記陰茎部挿入部４０の構造は実施例の構造に限定されるものでなく、例えば円形状の貫通孔等でもよいことは勿論である。
また、実施例では第１立上面体対応粘着部３６Ａと第２立上面体対応粘着部３６Ｂを矩形状に形成したが、第１立上面体対応粘着部３６Ａ、第２立上面体対応粘着部３６Ｂの形状は実施例の形状に限定されるものでないことは勿論である。
なお、男性用尿取りパッド１０，５０を下着２に取り付ける手順は実施例に示した手順に限定されるものでないことは勿論である。
また、実施例では男性用尿取りパッド１０，５０をトランクス型の下着２に取り付けて使用する場合を説明したが、男性用尿取りパッド１０，５０はトランクス型の下着２に限定されるものでなく、ブリーフ型や他の型の下着に使用してもよいことは勿論である。
【産業上の利用可能性】
【００１５】
本発明の男性用尿取りパッドは、前立腺や膀胱等の病気や高齢により尿失禁してしまう場合に使用するだけでなく、他の理由で尿失禁してしまう場合にも使用することができる。
【符号の説明】
【００１６】
１０    男性用尿取りパッド
１２    内側表面シート
１４    外側表面シート
１６    液体吸収コア
２０    第１立上面体
２２    第２立上面体
２４    折返部
２６    折返カバー部
２８    陰茎部係止切欠
３０    第１側面体
３１    第１側面体フラップ
３２    第２側面体
３３    第２側面体フラップ
３５    陰茎部収容ポケット
３５Ａ  ポケット開口部
３６Ａ  第１立上面体対応粘着部
３６Ｂ  第２立上面体対応粘着部
３８Ａ  第１立上面体対応剥離紙
３８Ｂ  第２立上面体対応剥離紙
４０    陰茎部挿入部
４２    スリット
４２Ａ  スリット片
【図１】
0005980179.tif 000002
【図２】
0005980179.tif 000003
【図３】
0005980179.tif 000004
【図４】
0005980179.tif 000005
【図５】
0005980179.tif 000006
【図６】
0005980179.tif 000007
【図７】
0005980179.tif 000008